(57)【要約】      （修正有）【課題】転居や退去において、生活異変を検出するための設定情報の変更を容易におこなうことができる高齢者用集合住宅インターホンシステムを提供する。【解決手段】高齢者用集合住宅インターホンシステムにおいて、住戸アダプタには、居住者の生活リズムや生活環境にあわせて生活異変センサが生活異変状態として検出するための時間帯や、異変として検出する時間間隔等の生活異変検出設定情報を記憶するための設定情報記憶部を備え、パーソナルコンピュータは、各住戸アダプタの設定情報記憶部に記憶された生活異変検出設定情報を各居室単位で記憶する設定情報テーブルと、当該設定テーブルに記憶された生活異変検出設定情報及び各住戸アダプタの設定情報記憶部に記憶された生活異変検出設定情報を書換え、削除するための制御をおこなう制御部を備える。【選択図】図１
2011182310.tif 000002
【特許請求の範囲】
【請求項１】
高齢者集合住宅等のエントランスに設置され来訪者が居住者を呼び出すために操作する集合玄関機と、前記集合玄関機からの呼び出しを報知し、それを確認した前記居住者が前記来訪者と通話するための居室親機と、管理室に設置され前記居住者と通話するための管理室親機と、前記集合玄関機、前記居室親機及び管理室親機を制御する制御機と、居住者の状態を監視するため水が使用されたことを検知する水センサ、居住者が動作したことを検知する動体検知センサ等の生活異変監視センサと、各住戸に設置され、前記制御機と前記居室親機、前記生活異変センサが接続される住戸アダプタとから構成され、
前記住戸アダプタには、居住者の生活リズムや生活環境にあわせて前記生活異変センサが生活異変状態として検出するための時間帯や、異変として検出する時間間隔等の生活異変検出設定情報を記憶するための設定情報記憶部を備え、
前記管理室親機又は前記制御機には、パーソナルコンピュータが接続され、
当該パーソナルコンピュータは、各住戸アダプタの設定情報記憶部に記憶された生活異変検出設定情報を各居室単位で記憶する設定情報テーブルと、当該設定テーブルに記憶された生活異変検出設定情報及び各住戸アダプタの設定情報記憶部に記憶された生活異変検出設定情報を書換え、削除するための制御をおこなう制御部を備えたことを特徴とする高齢者用集合住宅インターホンシステム。
【請求項２】
前記居住者が退去する場合において、
前記パーソナルコンピュータで退去情報として、退去先の居室番号等の住戸情報を入力すると、当該退去情報に基づいて、居住者情報及び、前記設定情報テーブルに記憶され前記居住者情報に関連付けられた生活異変検出設定情報を削除すると共に、前記住戸アダプタの前記設定情報記憶部に記憶された生活異変検出設定情報を削除するために前記退去情報を送信することを特徴とする請求項１記載の高齢者用集合住宅インターホンシステム。
【請求項３】
前記居住者が転居する場合において、
前記パーソナルコンピュータで転居情報として、転居前及び転居先の居室番号等住戸情報を入力すると、当該転居情報に基づいて、居住者情報及び、前記設定情報テーブルに記憶され前記居住者情報に関連付けられた生活異変検出設定情報を転居前から転居後に移管させると共に、転居前の住戸アダプタの設定情報記憶部に記憶された生活異変検出設定情報を削除し、転居後の住戸アダプタの設定情報記憶部に転居前の住戸アダプタの設定情報記憶部に記憶された生活異変検出設定情報と同じ情報を記憶させるために前記転居情報を送信することを特徴とする請求項１又は請求項２記載の高齢者用集合住宅インターホンシステム。
【発明の詳細な説明】
【技術分野】
【０００１】
本発明は、高齢者用集合住宅インターホンシステムに係り、特に転居や新規の入居において、生活異変を検出するための設定が容易となる高齢者用集合住宅インターホンシステムに関する。
【背景技術】
【０００２】
従来から、高齢者用集合住宅インターホンシステムとして、居住者がでかけるときに不在設定とし、不在中は所定時間内に各種センサ（水センサ、動体検知センサ）が検知しない場合であっても生活異変として警報発報をおこなわないシステムが提案されている。このシステムにおいて、居住者が帰宅したときに不在設定を在室設定に変更忘れをすることで、監視状態を解除したままになり居住者の体調に異変が生じた場合に対処できなくなることを防止するため、不在設定されている状態で各種センサが検知した場合には在室設定に自動的に変更するようにし、確実に居住者の異変を監視できるようにしていた（特許文献１）。
そして、各種センサの作用により、生活異変状態として検出するための時間帯や、異変として検出する時間間隔は居住者の生活リズムによって異なるため、居住者ごとに設定されていた。
【先行技術文献】
【特許文献】
【０００３】
【特許文献１】特開２００３−１０９１５８号公報
【発明の開示】
【発明が解決しようとする課題】
【０００４】
しかしながら、従来の高齢者用集合住宅インターホンシステムは、居住者ごとに設定を可能にしているが、転居する場合や、退去する場合、その設定情報が維持されてしまい、新たに入居する人は、維持されている設定情報で生活異変の検出がおこなわれるため誤報が発生し、新規の居住者に不快な思いをさせてしまう虞があった。
また、同じ集合住宅内に転居する場合には、転居先で転居前の設定と同じ設定を新たにしなければならないため面倒であった。
本発明は、この難点を解決するためになされたもので、転居や退去において、生活異変を検出するための設定情報の変更を容易におこなうことができる高齢者用集合住宅インターホンシステムを提供することを目的としている。
【課題を解決するための手段】
【０００５】
上述の目的を達成するため、本発明の第１の態様である高齢者用集合住宅インターホンシステムは、高齢者集合住宅等のエントランスに設置され来訪者が居住者を呼び出すために操作する集合玄関機と、集合玄関機からの呼び出しを報知し、それを確認した居住者が来訪者と通話するための居室親機と、管理室に設置され居住者と通話するための管理室親機と、集合玄関機、居室親機及び管理室親機を制御する制御機と、居住者の状態を監視するため水が使用されたことを検知する水センサ、居住者が動作したことを検知する動体検知センサ等の生活異変監視センサと、各住戸に設置され、制御機と居室親機、生活異変センサが接続される住戸アダプタとから構成され、住戸アダプタには、居住者の生活リズムや生活環境にあわせて生活異変センサが生活異変状態として検出するための時間帯や、異変として検出する時間間隔等の生活異変検出設定情報を記憶するための設定情報記憶部を備え、管理室親機又は制御機には、パーソナルコンピュータが接続され、当該パーソナルコンピュータは、各住戸アダプタの設定情報記憶部に記憶された生活異変検出設定情報を各居室単位で記憶する設定情報テーブルと、当該設定テーブルに記憶された生活異変検出設定情報及び各住戸アダプタの設定情報記憶部に記憶された生活異変検出設定情報を書換え、削除するための制御をおこなう制御部を備えたことを特徴とする。
【０００６】
また、本発明の第２の態様である高齢者用集合住宅インターホンシステムは、第１の態様において、居住者が退去する場合において、パーソナルコンピュータで退去情報として、退去先の居室番号等の住戸情報を入力すると、当該退去情報に基づいて、居住者情報及び、設定情報テーブルに記憶され居住者情報に関連付けられた生活異変検出設定情報を削除すると共に、住戸アダプタの設定情報記憶部に記憶された生活異変検出設定情報を削除するために退去情報を送信することを特徴とする。
【０００７】
更に、本発明の第３の態様である高齢者用集合住宅インターホンシステムは、第１、第２の態様において、居住者が転居する場合において、パーソナルコンピュータで転居情報として、転居前及び転居先の居室番号等住戸情報を入力すると、当該転居情報に基づいて、居住者情報及び、設定情報テーブルに記憶され居住者情報に関連付けられた生活異変検出設定情報を転居前から転居後に移管させると共に、転居前の住戸アダプタの設定情報記憶部に記憶された生活異変検出設定情報を削除し、転居後の住戸アダプタの設定情報記憶部に転居前の住戸アダプタの設定情報記憶部に記憶された生活異変検出設定情報と同じ情報を記憶させるために転居情報を送信することを特徴とする。
【発明の効果】
【０００８】
請求項１の高齢者用集合住宅インターホンシステムによれば、転居や新規の入居において、生活異変を検出するための個々の設定を容易におこなうことができる。また、前居住者の設定情報が削除されるので誤報を出すことがなくなる。
請求項２の高齢者用集合住宅インターホンシステムによれば、パーソナルコンピュータ上で退去の操作をおこなうだけで、住戸アダプタ側の生活異変検出設定情報も削除することができるので、当該情報の削除を忘れることがない。
請求項３の高齢者用集合住宅インターホンシステムによれば、パーソナルコンピュータ上で転居の操作をおこなうだけで、転居前の住戸アダプタ側の生活異変検出設定情報を削除し、転居後の住戸アダプタ側の生活異変検出設定情報を変更することができるので、当該情報の入れ替え作業をし忘れることがない。
【図面の簡単な説明】
【０００９】
【図１】本発明における高齢者用集合住宅インターホンシステムの構成図である。
【図２】本発明における高齢者用集合住宅インターホンシステムの住戸アダプタ及び居室親機のブロック図である。
【図３】本発明における高齢者用集合住宅インターホンシステムのパーソナルコンピュータのブロック図である。
【発明を実施するための最良の形態】
【００１０】
以下、本発明の高齢者用集合住宅インターホンシステムを適用した好ましい形態の実施例について、図面を参照して説明する。
図１は、本発明の実施例における高齢者用集合住宅インターホンシステムのシステム構成図である。
高齢者集合住宅等のエントランスに設置され来訪者が居住者を呼び出すために操作する集合玄関機１と、集合玄関機１からの呼び出しを報知し、それを確認した居住者が来訪者と通話するための居室親機５と、管理室に設置され居住者と通話するための管理室親機３と、集合玄関機１、居室親機５及び管理室親機３を制御する制御機２と、居住者の状態を監視するため水が使用されたことを検知する水センサ、居住者が動いたことを検知する動体検知センサ等の生活異変センサ９と、各住戸に設置され、制御機２と居室親機５、生活異変センサ９が接続される住戸アダプタ４とから構成されている。
また、住戸アダプタ４には、居室親機５の他に、居住者の在室、不在の状態を切り替えて居住者の状態（容態）を監視するか否かを設定するための在室／不在切替スイッチ６、居室親機５を用いることなく管理室親機３と通話するための天井マイク７、天井スピーカ８が接続されている。
【００１１】
図２は、住戸アダプタ４及び居室親機５のブロック図である。
住戸アダプタ４は、制御機２と通信するための住戸アダプタＩＦ４１と、居室親機５、在室／不在切替スイッチ６、天井マイク７、天井スピーカ８、生活異変センサ９と通信するための住戸アダプタＩＦ４２と、居住者の生活リズムや生活環境にあわせて生活異変センサ９が生活異変状態として検出するための時間帯や、異変として検出する時間間隔等の生活異変検出設定情報を記憶するための設定情報記憶部４３と、住戸アダプタ４内の各部を制御するための住戸アダプタＣＰＵ４４とを有し、居室親機５は、住戸アダプタ４と通信するための居室親機ＩＦ５１と、集合玄関機１や管理室親機３と通話するためのハンドセット５２、マイク５３、スピーカ５４と、居室親機５の各部を制御するための居室親機ＣＰＵ５５とを有している。
図３は、管理室親機３に接続されたパーソナルコンピュータ１０のブロック図である。当該パーソナルコンピュータは、各住戸アダプタ４の設定情報記憶部４３に記憶された生活異変検出設定情報を各居室単位で記憶する設定情報テーブル１１と、各居住者の名前や居室ＩＤ等の基本情報を記憶する居住者情報テーブル１２と、当該設定情報テーブルに記憶された生活異変検出設定情報及び各住戸アダプタの設定情報記憶部に記憶された生活異変検出設定情報を書換え、削除するための制御をおこなうＰＣ-ＣＰＵ１３と、管理室親機３と通信するためのＰＣ-ＩＦ１４とを備えている。
【００１２】
このように構成されたインターホンシステムについて、以下、動作を説明する。
集合玄関機１又は管理室親機３からの呼び出しに応答するため、居室親機５のハンドセット５２を取り上げると、居室親機ＣＰＵ５５がハンドセット通話に入ったこと検出し、住戸アダプタ４を介して制御機２に通知され、制御機２の制御により通話路を形成することについては従来と同様であるので詳述せず、ここでは、居住者の状態（容態）を監視する生活異変監視について詳述することとする。
【００１３】
居住者が住戸アダプタ４の在室自動切替スイッチ４３がオフの状態であり、在室状態となっている場合についての動作は以下のとおりである。
住戸アダプタ４の設定情報記憶部４３には、居住者の生活リズムや生活環境にあわせて生活異変センサ９が生活異変状態として検出するための時間帯や、異変として検出する時間間隔が生活異変検出設定情報として記憶されている。当該生活異変検出設定情報は、管理室親機３に接続されたパーソナルコンピュータ１０を用いて設定可能であり、管理室親機３を介して制御機２に送信され、制御機２では、生活異変検出設定情報に付与されている居室を特定するための居室ＩＤをもとに各居室の住戸アダプタ４に送信されて設定情報記憶部４３に記憶される。また、パーソナルコンピュータ１０自身にも同様に設定情報テーブル１１で記憶する。
【００１４】
在室状態において、各種センサである水センサや動体検知センサ等の生活異変センサ９が居住者の異常を検知する、具体的には、生活異変センサ９が水センサであった場合には、水が使用されたことを検出すると、住戸アダプタＩＦ４２を介して住戸アダプタＣＰＵ４４でこれを検出する。住戸アダプタＣＰＵ４４は、設定情報記憶部４３に記憶された生活異変検出設定情報を参照して、検出時間帯であるかを確認する。検出時間帯であれば住戸アダプタＣＰＵ４４に内蔵されたタイマのカウントを開始する。設定情報記憶部４３に記憶された生活異変検出設定情報のうち監視時間間隔の間に再度、水センサが水を使用したことを検出し、住戸アダプタＣＰＵ４４に送信された場合には、タイマのカウントをリセットする。一方、送信されない場合には、異常であるとして住戸アダプタＣＰＵ４４がこれを検出し、天井スピーカ８から警報を報知するとともに、居室親機５及び制御機２に対して警報信号を送信する。
居室親機５は、居室親機ＩＦ５１を介して居室親機ＣＰＵ５５で警報信号を受信し、スピーカ５４から警報を報知する。また、制御機２にて受信された警報信号は管理室親機３に送信され、管理室親機３でも同様に警報が報知される。なお、管理室親機３で受信される警報信号には、居室を特定するための居室ＩＤが付与されており、何れの居室から送信された警報信号かを特定することが可能である（詳述せず）。
【００１５】
なお、居住者が外出し、住戸アダプタ４に接続された在室／不在切替スイッチ６をオンさせて不在に設定すると、生活異変センサ９による異常検知はおこなわれない。
このように、居住者の生活リズムや生活環境にあわせて生活異変を検出することができる。
【００１６】
次に、居住者が退去する場合について説明する。
居住者が退去する場合、管理人はパーソナルコンピュータ１０を操作して、居住者情報テーブル１２に記憶された居住者情報を消去する操作をおこなう。この居住者情報は、設定情報テーブル１１の情報と関連付けられており、居住者情報が消去されると同時に当該居住者の生活異変検出設定情報が削除される。
具体的には、パーソナルコンピュータ１０で退去情報として、退去先の住戸情報（居室番号等）を入力すると、当該退去情報に基づいて、居住者情報テーブル１２の居住者情報及び、設定情報テーブル１１に記憶され居住者情報に関連付けられた生活異変検出設定情報を削除する。
また、退去情報は、ＰＣ-ＣＰＵ１３の制御により、ＰＣ-ＩＦ１４から管理室親機３にて送信され、更に制御機２を介して住戸アダプタ４に送信される。住戸アダプタ４では、退去情報を住戸アダプタＣＰＵ４４で受信し、当該退去情報に付与された居室を特定する居室ＩＤを確認して、該当する住戸アダプタ４であれば設定情報記憶部４３に記憶された生活異変検出設定情報を削除する制御がなされる。
これにより、新たな入居者が入居した場合に、以前の入居者の生活異変検出設定情報が残っていることがないので誤報される虞がなくなる。
【００１７】
次に、同一の集合住宅内に転居する場合について説明する。
居住者が転居する場合、管理人はパーソナルコンピュータ１０を操作して、居住者情報テーブル１２に記憶された居住者情報を書き換える操作をおこなう。操作としては、転居情報として転居前と転居後の住戸情報（居室番号等）を入力すると、当該転居情報に基づいて、設定情報テーブル１１及び居住者情報テーブル１２に記憶された居住者情報及び生活異変検出設定情報から転居前の居室に該当する各情報を削除する。
【００１８】
また、転居情報は、ＰＣ-ＣＰＵ１３の制御により、ＰＣ-ＩＦ１４から管理室親機３にて送信され、更に制御機２を介して住戸アダプタ４に送信される。住戸アダプタ４では、転居情報に付与された転居前、転居後の居室を特定する居室ＩＤに基づいて、転居前の住戸アダプタ４及び転居後の住戸アダプタ４で受信される。転居前の住戸アダプタ４では、住戸アダプタＣＰＵ４４の制御により設定情報記憶部４３に記憶された生活異変検出設定情報が削除され、また、転居後の住戸アダプタ４では、住戸アダプタＣＰＵ４４の制御により設定情報記憶部４３に転居前の住戸アダプタ４の設定情報記憶部４３に記憶された生活異変検出設定情報と同じ情報を新たに記憶する。
これにより、新たな入居者が入居した場合に、以前の入居者の生活異変検出設定情報が残っていることがないし、転居先では転居前の情報をそのまま使用することができるので再設定の必要もない。
【符号の説明】
【００１９】
１・・・           集合玄関機
２・・・           制御機
３・・・           管理室親機
４・・・           住戸アダプタ
４３・・・    設定情報記憶部
５・・・           居室親機
６・・・           在室／不在切替スイッチ
７・・・           天井マイク
８・・・           天井スピーカ
９・・・           生活異変センサ
１０・・・         パーソナルコンピュータ
１１・・・   設定情報テーブル
１２・・・    居住者情報テーブル
１３・・・   ＰＣ-ＣＰＵ
【図１】
2011182310.tif 000003
【図２】
2011182310.tif 000004
【図３】
2011182310.tif 000005